【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のワイヤレスワイドエリアネットワーク（ＷＷＡＮ）通信を介して第１のＷＷＡＮ上で通信することと、前記第１のＷＷＡＮが、ユーザ機器（ＵＥ）の第１の加入者識別モジュール（ＳＩＭ）をサポートする、
第２のＷＷＡＮ通信を介して第２のＷＷＡＮ上で通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を備える、方法。
【請求項２】
前記第１のＷＷＡＮ上で前記通信することが、前記ＷＷＡＮモジュールの第１のＷＷＡＮアンテナ上で第１のＷＷＡＮ信号を受信することを備え、
前記第２のＷＷＡＮ上で前記通信することが、前記ＷＷＡＮモジュールの第２のＷＷＡＮアンテナ上で第２のＷＷＡＮ信号を受信することを備える、
請求項１に記載の方法。
【請求項３】
前記第２のＷＷＡＮ通信を前記処理することが、
前記ＷＷＡＮモジュールの無線周波数（ＲＦ）フロントエンド構成要素を使用して、前記第２のＷＷＡＮ信号を処理することと、
前記ＷＬＡＮモジュールの低雑音増幅器と、ダウンコンバータと、フィルタとを使用して、前記第２のＷＷＡＮ信号を処理することと
を備える、請求項２に記載の方法。
【請求項４】
前記第２のＷＷＡＮ通信を前記処理することが、
前記ＷＷＡＮモジュールの無線周波数（ＲＦ）フロントエンド構成要素を使用して、前記第２のＷＷＡＮ信号を処理することと、
前記ＷＬＡＮモジュールのアナログデジタル変換器を使用して、前記第２のＷＷＡＮ信号を処理することと
を備える、請求項２に記載の方法。
【請求項５】
前記第２のＷＷＡＮ通信を前記処理することが、
前記ＷＷＡＮモジュールの無線周波数（ＲＦ）フロントエンド構成要素と低雑音増幅器とを使用して、前記第２のＷＷＡＮ信号を処理することと、
前記ＷＬＡＮモジュールのダウンコンバータとフィルタとを使用して、前記第２のＷＷＡＮ信号を処理することと
を備える、請求項２に記載の方法。
【請求項６】
前記第１のＷＷＡＮ上で前記通信することが、前記ＷＷＡＮモジュールの第１のＷＷＡＮアンテナ上で第１のＷＷＡＮ信号を送信することを備え、
前記第２のＷＷＡＮ上で前記通信することが、前記ＷＷＡＮモジュールの第２のＷＷＡＮアンテナ上で第２のＷＷＡＮ信号を送信することを備える、
請求項１に記載の方法。
【請求項７】
前記第２のＷＷＡＮ通信を前記処理することが、
送信より前に、前記ＷＬＡＮモジュールのドライバ増幅器と、アップコンバータと、フィルタとを使用して前記第２のＷＷＡＮ信号を処理することと、
送信より前に、前記ＷＷＡＮモジュールの無線周波数（ＲＦ）フロントエンド構成要素を使用して前記第２のＷＷＡＮ信号を処理することと
を備える、請求項６に記載の方法。
【請求項８】
前記第２のＷＷＡＮ通信を前記処理することが、
送信より前に、前記ＷＬＡＮモジュールのデジタルアナログ変換器を使用して前記第２のＷＷＡＮ信号を処理することと、
送信より前に、前記ＷＷＡＮモジュールの無線周波数（ＲＦ）フロントエンド構成要素を使用して前記第２のＷＷＡＮ信号を処理することと
を備える、請求項６に記載の方法。
【請求項９】
ＷＬＡＮ通信を介してＷＬＡＮ上で通信することと、
前記ＵＥの前記ＷＬＡＮモジュールで前記ＷＬＡＮ通信を処理することと
をさらに備える、請求項１に記載の方法。
【請求項１０】
前記第１のＷＷＡＮ上で前記通信することが、第１のＷＷＡＮアンテナ上で通信することを備え、
前記第２のＷＷＡＮ上で前記通信することが、第２のＷＷＡＮアンテナ上で通信することを備え、
前記ＷＬＡＮ上で前記通信することが、ＷＬＡＮアンテナ上で通信することを備える、
請求項９に記載の方法。
【請求項１１】
前記第２のＷＷＡＮ通信を前記処理することが、
前記ＷＬＡＮモジュールの前記一部で前記第２のＷＷＡＮ通信を処理するための第１の時間を識別することと、
前記ＷＬＡＮモジュールの前記一部で前記ＷＬＡＮ通信を処理するための第２の時間を識別することと
を備える、請求項９に記載の方法。
【請求項１２】
前記第２のＷＷＡＮ上で前記通信することが、
モバイル通信用グローバルシステム（ＧＳＭ）ネットワーク上で通信すること
を備える、請求項１に記載の方法。
【請求項１３】
ワイヤレス通信のための装置であって、
第１のワイヤレスワイドエリアネットワーク（ＷＷＡＮ）通信を介して第１のＷＷＡＮ上で通信するための手段と、前記第１のＷＷＡＮが、ユーザ機器（ＵＥ）の第１の加入者識別モジュール（ＳＩＭ）をサポートする、
第２のＷＷＡＮ通信を介して第２のＷＷＡＮ上で通信するための手段と、前記第２のＷＷＡＮが、前記ＵＥの第２のＳＩＭをサポートする、
前記ＵＥのＷＷＡＮモジュールで前記第１のＷＷＡＮ通信を処理するための手段と、
前記ＵＥの前記ＷＷＡＮモジュールの一部およびワイヤレスローカルエリアネットワーク（ＷＬＡＮ）モジュールの一部で前記第２のＷＷＡＮ通信を処理するための手段と
を備える、装置。
【請求項１４】
前記第１のＷＷＡＮ上で通信するための前記手段が、前記ＷＷＡＮモジュールの第１のＷＷＡＮアンテナ上で第１のＷＷＡＮ信号を受信するための手段を備え、
前記第２のＷＷＡＮ上で通信するための前記手段が、前記ＷＷＡＮモジュールの第２のＷＷＡＮアンテナ上で第２のＷＷＡＮ信号を受信するための手段を備える、
請求項１３に記載の装置。
【請求項１５】
ワイヤレス通信のためのコンピュータ実行可能コードを記憶する非一時的コンピュータ可読媒体であって、前記コードは、請求項１〜１２のいずれかに記載の方法を実施するようにプロセッサを適応させるために前記プロセッサによって実行可能である、非一時的コンピュータ可読媒体。
【手続補正２】
【補正対象書類名】明細書
【補正対象項目名】０１０２
【補正方法】変更
【補正の内容】
【０１０２】
[00114]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信のための方法であって、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮトランシーバで前記第１のＷＷＡＮ通信を処理することと、
前記ＵＥの前記ＷＷＡＮトランシーバの一部およびワイヤレスローカルエリアネットワーク（ＷＬＡＮ）トランシーバの一部で前記第２のＷＷＡＮ通信を処理することと
を備える、方法。
［Ｃ２］
前記第１のＷＷＡＮを介して通信することが、前記ＷＷＡＮモジュールの第１のＷＷＡＮアンテナ上でＷＷＡＮ信号を受信することを備え、
前記第２のＷＷＡＮを介して通信することが、前記ＷＷＡＮモジュールの第２のＷＷＡＮアンテナ上でＷＷＡＮ信号を受信することを備える、
Ｃ１に記載の方法。
［Ｃ３］
前記第２のＷＷＡＮ通信を処理することが、
前記ＷＷＡＮモジュールの無線周波数（ＲＦ）フロントエンド構成要素を使用して、前記受信されたＷＷＡＮ信号を処理することと、
前記ＷＬＡＮモジュールの低雑音増幅器と、ダウンコンバータと、フィルタとを使用して、前記受信されたＷＷＡＮ信号を処理することと
を備える、Ｃ２に記載の方法。
［Ｃ４］
前記第２のＷＷＡＮ通信を処理することが、
前記ＷＷＡＮモジュールの無線周波数（ＲＦ）フロントエンド構成要素を使用して、前記受信されたＷＷＡＮ信号を処理することと、
前記ＷＬＡＮモジュールのアナログデジタル変換器を使用して、前記受信されたＷＷＡＮ信号を処理することと
を備える、Ｃ２に記載の方法。
［Ｃ５］
前記第２のＷＷＡＮ通信を処理することが、
前記ＷＷＡＮモジュールの無線周波数（ＲＦ）フロントエンド構成要素と低雑音増幅器とを使用して、前記受信されたＷＷＡＮ信号を処理することと、
前記ＷＬＡＮモジュールのダウンコンバータとフィルタとを使用して、前記受信されたＷＷＡＮ信号を処理することと
を備える、Ｃ２に記載の方法。
［Ｃ６］
前記第１のＷＷＡＮを介して通信することが、前記ＷＷＡＮモジュールの第１のＷＷＡＮアンテナ上でＷＷＡＮ信号を送信することを備え、
前記第２のＷＷＡＮを介して通信することが、前記ＷＷＡＮモジュールの第２のＷＷＡＮアンテナ上でＷＷＡＮ信号を送信することを備える、
Ｃ１に記載の方法。
［Ｃ７］
前記第２のＷＷＡＮ通信を処理することが、
送信より前に、前記ＷＬＡＮモジュールのドライバ増幅器と、アップコンバータと、フィルタとを使用して前記ＷＷＡＮ信号を処理することと、
送信より前に、前記ＷＷＡＮモジュールの無線周波数（ＲＦ）フロントエンド構成要素を使用して前記ＷＷＡＮ信号を処理することと
を備える、Ｃ６に記載の方法。
［Ｃ８］
前記第２のＷＷＡＮ通信を処理することが、
送信より前に、前記ＷＬＡＮモジュールのデジタルアナログ変換器を使用して前記ＷＷＡＮ信号を処理することと、
送信より前に、前記ＷＷＡＮモジュールの無線周波数（ＲＦ）フロントエンド構成要素を使用して前記ＷＷＡＮ信号を処理することと
を備える、Ｃ６に記載の方法。
［Ｃ９］
前記ＷＬＡＮを介して通信することと、
前記ＵＥの前記ＷＬＡＮモジュールで前記ＷＬＡＮ通信を処理することと
をさらに備える、Ｃ１に記載の方法。
［Ｃ１０］
前記第１のＷＷＡＮを介して通信することが、第１のＷＷＡＮアンテナを介して通信することを備え、
前記第２のＷＷＡＮを介して通信することが、第２のＷＷＡＮアンテナを介して通信することを備え、
前記ＷＬＡＮを介して通信することが、ＷＬＡＮアンテナを介して通信することを備える、
Ｃ９に記載の方法。
［Ｃ１１］
前記第２のＷＷＡＮ通信を処理することが、
前記ＷＬＡＮモジュールの前記一部で前記第２のＷＷＡＮ通信を処理するための第１の時間を識別することと、
前記ＷＬＡＮモジュールの前記一部で前記ＷＬＡＮ通信を処理するための第２の時間を識別することと
を備える、Ｃ９に記載の方法。
［Ｃ１２］
前記第２のＷＷＡＮを介して通信することが、
モバイル通信用グローバルシステム（ＧＳＭ）ネットワークを介して通信すること
を備える、Ｃ１に記載の方法。
［Ｃ１３］
ワイヤレス通信のための装置であって、
第１のワイヤレスワイドエリアネットワーク（ＷＷＡＮ）を介して通信するための手段と、前記第１のＷＷＡＮが、ユーザ機器（ＵＥ）の第１の加入者識別モジュール（ＳＩＭ）をサポートする、
第２のＷＷＡＮを介して通信するための手段と、前記第２のＷＷＡＮが、前記ＵＥの第２のＳＩＭをサポートする、
前記ＵＥのＷＷＡＮモジュールで前記第１のＷＷＡＮ通信を処理するための手段と、  前記ＵＥの前記ＷＷＡＮモジュールの一部およびワイヤレスローカルエリアネットワーク（ＷＬＡＮ）モジュールの一部で前記第２のＷＷＡＮ通信を処理するための手段と
を備える、装置。
［Ｃ１４］
前記第１のＷＷＡＮを介して通信するための前記手段が、前記ＷＷＡＮモジュールの第１のＷＷＡＮアンテナ上でＷＷＡＮ信号を受信するための手段を備え、
前記第２のＷＷＡＮを介して通信するための前記手段が、前記ＷＷＡＮモジュールの第２のＷＷＡＮアンテナ上でＷＷＡＮ信号を受信するための手段を備える、
Ｃ１３に記載の装置。
［Ｃ１５］
前記第２のＷＷＡＮ通信を処理するための前記手段が、
前記ＷＷＡＮモジュールの無線周波数（ＲＦ）フロントエンド構成要素を使用して、前記受信されたＷＷＡＮ信号を処理するための手段と、
前記ＷＬＡＮモジュールの低雑音増幅器と、ダウンコンバータと、フィルタとを使用して、前記受信されたＷＷＡＮ信号を処理するための手段と
を備える、Ｃ１４に記載の装置。
［Ｃ１６］
前記第２のＷＷＡＮ通信を処理するための前記手段が、
前記ＷＷＡＮモジュールの無線周波数（ＲＦ）フロントエンド構成要素を使用して、前記受信されたＷＷＡＮ信号を処理するための手段と、
前記ＷＬＡＮモジュールのアナログデジタル変換器を使用して、前記受信されたＷＷＡＮ信号を処理するための手段と
を備える、Ｃ１４に記載の装置。
［Ｃ１７］
前記第２のＷＷＡＮ通信を処理するための前記手段が、
前記ＷＷＡＮモジュールの無線周波数（ＲＦ）フロントエンド構成要素と低雑音増幅器とを使用して、前記受信されたＷＷＡＮ信号を処理するための手段と、
前記ＷＬＡＮモジュールのダウンコンバータとフィルタとを使用して、前記受信されたＷＷＡＮ信号を処理するための手段と
を備える、Ｃ１４に記載の装置。
［Ｃ１８］
前記第１のＷＷＡＮを介して通信するための前記手段が、前記ＷＷＡＮモジュールの第１のＷＷＡＮアンテナ上でＷＷＡＮ信号を送信するための手段を備え、
前記第２のＷＷＡＮを介して通信するための前記手段が、前記ＷＷＡＮモジュールの第２のＷＷＡＮアンテナ上でＷＷＡＮ信号を送信するための手段を備える、
Ｃ１３に記載の装置。
［Ｃ１９］
前記第２のＷＷＡＮ通信を処理するための前記手段が、
送信より前に、前記ＷＬＡＮモジュールのドライバ増幅器と、アップコンバータと、フィルタとを使用して前記ＷＷＡＮ信号を処理するための手段と、
送信より前に、前記ＷＷＡＮモジュールの無線周波数（ＲＦ）フロントエンド構成要素を使用して前記ＷＷＡＮ信号を処理するための手段と
を備える、Ｃ１８に記載の装置。
［Ｃ２０］
前記第２のＷＷＡＮ通信を処理するための前記手段が、
送信より前に、前記ＷＬＡＮモジュールのデジタルアナログ変換器を使用して前記ＷＷＡＮ信号を処理するための手段と、
送信より前に、前記ＷＷＡＮモジュールの無線周波数（ＲＦ）フロントエンド構成要素を使用して前記ＷＷＡＮ信号を処理するための手段と
を備える、Ｃ１８に記載の装置。
［Ｃ２１］
前記ＷＬＡＮを介して通信するための手段と、
前記ＵＥの前記ＷＬＡＮモジュールで前記ＷＬＡＮ通信を処理するための手段と
をさらに備える、Ｃ１３に記載の装置。
［Ｃ２２］
前記第１のＷＷＡＮを介して通信するための前記手段が、第１のＷＷＡＮアンテナを介して通信するための手段を備え、
前記第２のＷＷＡＮを介して通信するための前記手段が、第２のＷＷＡＮアンテナを介して通信するための手段を備え、
前記ＷＬＡＮを介して通信するための前記手段が、ＷＬＡＮアンテナを介して通信するための手段を備える、
Ｃ２１に記載の装置。
［Ｃ２３］
前記第２のＷＷＡＮ通信を処理するための前記手段が、
前記ＷＬＡＮモジュールの前記一部で前記第２のＷＷＡＮ通信を処理するための第１の時間を識別するための手段と、
前記ＷＬＡＮモジュールの前記一部で前記ＷＬＡＮ通信を処理するための第２の時間を識別するための手段と
を備える、Ｃ２１に記載の装置。
［Ｃ２４］
前記第２のＷＷＡＮを介して通信するための前記手段が、
モバイル通信用グローバルシステム（ＧＳＭ）ネットワークを介して通信するための手段
を備える、Ｃ１３に記載の装置。
［Ｃ２５］
ワイヤレス通信のための装置であって、
プロセッサと、
前記プロセッサと電子通信しているメモリと、
前記メモリに記憶された命令と
を備え、前記命令は、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を行うために前記プロセッサによって実行可能である、装置。
［Ｃ２６］
前記第１のＷＷＡＮを介して通信するための前記命令が、前記ＷＷＡＮモジュールの第１のＷＷＡＮアンテナ上でＷＷＡＮ信号を受信するために前記プロセッサによって実行可能な命令を含み、
前記第２のＷＷＡＮを介して通信するための前記命令が、前記ＷＷＡＮモジュールの第２のＷＷＡＮアンテナ上でＷＷＡＮ信号を受信するために前記プロセッサによって実行可能な命令を含む、
Ｃ２５に記載の装置。
［Ｃ２７］
前記第１のＷＷＡＮを介して通信するための前記命令が、前記ＷＷＡＮモジュールの第１のＷＷＡＮアンテナ上でＷＷＡＮ信号を送信するために前記プロセッサによって実行可能な命令を含み、
前記第２のＷＷＡＮを介して通信するための前記命令が、前記ＷＷＡＮモジュールの第２のＷＷＡＮアンテナ上でＷＷＡＮ信号を送信するために前記プロセッサによって実行可能な命令を含む、
Ｃ２５に記載の装置。
［Ｃ２８］
ワイヤレス通信のためのコンピュータ実行可能コードを記憶する非一時的コンピュータ可読媒体であって、前記コードは、
第１のワイヤレスワイドエリアネットワーク（ＷＷＡＮ）を介して通信することと、前記第１のＷＷＡＮが、ユーザ機器（ＵＥ）の第１の加入者識別モジュール（ＳＩＭ）をサポートする、
第２のＷＷＡＮを介して通信することと、前記第２のＷＷＡＮが、前記ＵＥの第２のＳＩＭをサポートする、
前記ＵＥのＷＷＡＮモジュールで前記第１のＷＷＡＮ通信を処理することと、
前記ＵＥの前記ＷＷＡＮモジュールの一部およびワイヤレスローカルエリアネットワーク（ＷＬＡＮ）モジュールの一部で前記第２のＷＷＡＮ通信を処理することと
を行うためにプロセッサによって実行可能である、非一時的コンピュータ可読媒体。
［Ｃ２９］
前記第１のＷＷＡＮを介して通信するための前記コードが、前記ＷＷＡＮモジュールの第１のＷＷＡＮアンテナ上でＷＷＡＮ信号を受信するために前記プロセッサによって実行可能なコードを含み、
前記第２のＷＷＡＮを介して通信するための前記コードが、前記ＷＷＡＮモジュールの第２のＷＷＡＮアンテナ上でＷＷＡＮ信号を受信するために前記プロセッサによって実行可能なコードを含む、
Ｃ２８に記載の非一時的コンピュータ可読媒体。
［Ｃ３０］
前記第１のＷＷＡＮを介して通信するための前記コードが、前記ＷＷＡＮモジュールの第１のＷＷＡＮアンテナ上でＷＷＡＮ信号を送信するために前記プロセッサによって実行可能なコードを含み、
前記第２のＷＷＡＮを介して通信するための前記コードが、前記ＷＷＡＮモジュールの第２のＷＷＡＮアンテナ上でＷＷＡＮ信号を送信するために前記プロセッサによって実行可能なコードを含む、
Ｃ２８に記載の非一時的コンピュータ可読媒体。